(57)【要約】【課題】使用者自身が発する音声を相手に伝え易くすることができるとともに、小型化を図ることができる音声入出力装置を提供することを目的とする。【解決手段】使用者の耳の内部に臨む開口部２２ａを一端に有する音声伝搬路２２ｂを有して使用者の両耳にそれぞれ装着される右耳用の本体部２Ｒ及び左耳用の本体部２Ｌと、右耳用の本体部２Ｒの音声伝搬路２２ｂに配されるスピーカ２３と、左耳用の本体部２Ｌの音声伝搬路２２ｂに配されるスピーカ２３と、右耳用の本体部２Ｒのスピーカ２３の音声出力面２３ａに臨む第１集音孔２４ｈを有するマイク部２４と、を備え、マイク部２４の不使用時に右耳用の本体部２Ｒのスピーカ２３及び左耳用の本体部２Ｌのスピーカ２３から音声を出力するとともに、マイク部２４の使用時に右耳用の本体部２Ｒのスピーカ２３の音声出力を停止して左耳用の本体部２Ｌのスピーカ２３から音声を出力する。【選択図】図３
2015061115.tif 000002
【特許請求の範囲】
【請求項１】
使用者の耳の内部に臨む開口部を一端に有する音声伝搬路を有して使用者の両耳にそれぞれ装着される第１本体部及び第２本体部と、
第１本体部の前記音声伝搬路に配される第１スピーカと、
第２本体部の前記音声伝搬路に配される第２スピーカと、
第１スピーカの音声出力面に臨む第１集音孔を有するマイク部と、
を備え、前記マイク部の不使用時に第１スピーカ及び第２スピーカから音声を出力するとともに、前記マイク部の使用時に第１スピーカの音声出力を停止して第２スピーカから音声を出力することを特徴とする音声入出力装置。
【請求項２】
第１本体部の前記音声伝搬路と仕切部を介して隔離される空気室と、
第１本体部に設けられて外耳道と外部とを連通させる第１入力音孔と、
前記空気室と第１本体部の外部とを連通させる第２入力音孔と、
前記マイク部に設けられて前記空気室に臨む第２集音孔と、
を備え、耳の内部で発生する内部音声と第１入力音孔から入力される外部音声とからなる混合音声を第１集音孔によって集音するとともに、第２入力音孔から入力される外部音声を第２集音孔によって集音し、
第１集音孔により集音された前記混合音声と第２集音孔により集音された外部音声とを用いて前記混合音声に含まれる前記外部音声を低減させるノイズ処理部を設けたことを特徴とする請求項１に記載の音声入出力装置。
【請求項３】
前記仕切部は第１スピーカから成ることを特徴とする請求項２に記載の音声入出力装置。
【請求項４】
第１集音孔及び第２集音孔を開口して前記ノイズ処理部を覆うカバー部材を前記マイク部に設け、第１スピーカの周縁部が嵌合する凹部を前記カバー部材に設けたことを特徴とする請求項３に記載の音声入出力装置。
【発明の詳細な説明】
【技術分野】
【０００１】
本発明は使用者の耳に装着される音声入出力装置に関する。
【背景技術】
【０００２】
マイクロフォンがイヤホンに組み込まれて一体となったイヤホンマイク（音声入出力装置）が広く知られている。使用者が発する音声の一部は頭部の骨や筋肉を伝搬して鼓膜などを振動させ、外耳道に送出される。使用者の耳に装着された音声入出力装置はこの耳の内部で発生する使用者自身の音声をマイクロフォンで集音する。
【０００３】
使用者は耳に装着した音声入出力装置を通じて、スピーカから出力される通話相手の話し声や音楽などの音声を聴くことができ、マイクロフォンに入力される使用者自身の音声を通話相手に送ることができる。そのため、音声入出力装置は携帯電話機などのハンズフリー通話などに利用されることが多い。このような音声入出力装置の一例が特許文献１に開示されている。
【０００４】
特許文献１に記載された従来の音声入出力装置は、使用者の耳の内部に臨む開口部をそれぞれの一端に有する出力音声伝搬路及び入力音声伝搬路を備える。出力音声伝搬路と入力音声伝搬路との間には仕切壁が設けられ、出力音声伝搬路及び入力音声伝搬路にはそれぞれスピーカ及びマイク部が配されている。
【０００５】
上記構成の音声入出力装置において、スピーカから出力された音声は出力音声伝搬路を介して使用者の鼓膜に到達する。これにより、使用者はスピーカから出力された音声を聴くことができる。
【０００６】
また、使用者が発する音声の一部は頭部の骨や筋肉を伝搬して鼓膜等を振動させ、外耳道に送出される。外耳道内に送出された音声は入力音声伝搬路を介してマイク部に入力される。これにより、使用者の発する音声を通話相手に送ることができる。
【０００７】
この時、出力音声伝搬路と入力音声伝搬路との間には仕切壁が設けられている。これにより、スピーカの出力音声のマイク部への入力を低減することができる。したがって、スピーカの出力音声が通話相手に聴こえることを低減し、使用者が発する音声を相手に伝え易くすることができる。
【先行技術文献】
【特許文献】
【０００８】
【特許文献１】特開２００７−２０１８８７号公報
【発明の概要】
【発明が解決しようとする課題】
【０００９】
しかしながら、上記特許文献１に開示された音声入出力装置によると、出力音声伝搬路と入力音声伝搬路との間に仕切壁を設けるため、音声入出力装置が大型化する問題があった。
【００１０】
本発明は、上記の点に鑑みなされたものであり、使用者自身が発する音声を相手に伝え易くすることができるとともに、小型化を図ることができる音声入出力装置を提供することを目的とする。
【課題を解決するための手段】
【００１１】
上記の課題を解決するため、本発明の音声入出力装置は、使用者の耳の内部に臨む開口部を一端に有する音声伝搬路を有して使用者の両耳にそれぞれ装着される第１本体部及び第２本体部と、第１本体部の前記音声伝搬路に配される第１スピーカと、第２本体部の前記音声伝搬路に配される第２スピーカと、第１スピーカの音声出力面に臨む第１集音孔を有するマイク部と、を備え、前記マイク部の不使用時に第１スピーカ及び第２スピーカから音声を出力するとともに、前記マイク部の使用時に第１スピーカの音声出力を停止して第２スピーカから音声を出力することを特徴としている。
【００１２】
この構成によれば、マイク部の不使用時に第１スピーカ及び第２スピーカから出力された音声は音声伝搬路を通して外耳道まで伝搬する。一方、マイク部の使用時には第１スピーカの音声出力を停止して第２スピーカから音声を出力する。この時、使用者の耳の内部で発生した音声は第１本体部の音声伝搬路を伝搬し、第１スピーカの音声出力面に臨む第１集音孔を介してマイク部に入力される。
【００１３】
また本発明は、上記構成の音声入出力装置において、第１本体部の前記音声伝搬路と仕切部を介して隔離される空気室と、第１本体部に設けられて外耳道と外部とを連通させる第１入力音孔と、前記空気室と第１本体部の外部とを連通させる第２入力音孔と、前記マイク部に設けられて前記空気室に臨む第２集音孔と、を備え、耳の内部で発生する内部音声と第１入力音孔から入力される外部音声とからなる混合音声を第１集音孔によって集音するとともに、第２入力音孔から入力される外部音声を第２集音孔によって集音し、第１集音孔により集音された前記混合音声と第２集音孔により集音された前記外部音声とを用いて前記混合音声に含まれる前記外部音声を低減させるノイズ処理部を設けたことを特徴としている。
【００１４】
この構成によれば、使用者が発して耳の内部で発生する内部音声と第１入力音孔から入力される外部音声とからなる混合音声は音声伝搬路及び第１集音孔を介してマイク部に入力される。また、第２入力音孔から入力された外部音声は空気室及び第２集音孔を介してマイク部に入力される。そして、ノイズ処理部は第１集音孔により集音された混合音声と第２集音孔により集音された外部音声とを用いて混合音声に含まれる外部音声を低減させる。
【００１５】
また本発明は、上記構成の音声入出力装置において、前記仕切部は第１スピーカから成ることを特徴としている。この構成によれば、空気室は第１本体部の音声伝搬路と第１スピーカを介して隔離される。
【００１６】
また本発明は、上記構成の音声入出力装置において、第１集音孔及び第２集音孔を開口して前記ノイズ処理部を覆うカバー部材を前記マイク部に設け、第１スピーカの周縁部が嵌合する凹部を前記カバー部材に設けたことを特徴としている。
【００１７】
この構成によれば、第１スピーカの周縁部がカバー部材の凹部に嵌合することにより、空気室は第１本体部の音声伝搬路と第１スピーカを介して隔離される。
【発明の効果】
【００１８】
本発明によれば、耳の内部で発生する内部音声を集音するマイク部の第１集音孔は、第１本体部の音声伝搬路に配される第１スピーカの音声出力面に臨む。これにより、マイク部へ内部音声を導くための通路を音声伝搬路と別途に設ける必要がない。したがって、音声入出力装置の小型化を図ることができる。また、マイク部の使用時に第１スピーカの音声出力を停止して第２スピーカから音声を出力するので、使用者自身が発する音声を相手に伝え易くすることができる。
【図面の簡単な説明】
【００１９】
【図１】本発明の第１実施形態に係るイヤホンマイクの外観斜視図である。
【図２】本発明の第１実施形態に係るイヤホンマイクが使用者の耳に装着された状態を示す説明図である。
【図３】本発明の第１実施形態に係るイヤホンマイクの右耳用の本体部の断面図である。
【図４】本発明の第１実施形態に係るイヤホンマイクの構成を示すブロック図である。
【図５】本発明の第２実施形態に係るイヤホンマイクの右耳用の本体部の断面図である。
【図６】本発明の第２実施形態に係るイヤホンマイクの構成を示すブロック図である。
【図７】本発明の第３実施形態に係るイヤホンマイクの右耳用の本体部の断面図である。
【発明を実施するための形態】
【００２０】
＜第１実施形態＞
最初に、本発明の第１実施形態に係るイヤホンマイク（音声入出力装置）について、図１及び図２を用いてその構成の概略を説明する。図１はイヤホンマイクの外観斜視図であり、図２はイヤホンマイクが使用者の耳に装着された状態を示す説明図である。
【００２１】
イヤホンマイク１は図１に示すように本体部２、ケーブル３及びコネクタ４を備える。本体部２及びケーブル３は右耳用の本体部２Ｒ（第１本体部）及びケーブル３Ｒと左耳用の本体部２Ｌ（第２本体部）及びケーブル３Ｌとの対をなす。右耳用の本体部２Ｒは後述するマイク部２４（図３参照）及びスピーカ２３（図３参照）の両方を備えるが、左耳用の本体部２Ｌはスピーカ２３を有してマイク部２４が省かれている。なお以下では、右耳用の本体部２Ｒを用いて説明する。
【００２２】
右耳用の本体部２Ｒは図２に示すように使用者の耳Ｅに装着される。コネクタ４は不図示の電子機器に対する入出力端子であって、ケーブル３を介して右耳用の本体部２Ｒに電気的に接続される。右耳用の本体部２Ｒはケーブル３及びコネクタ４を介して電子機器に対して音声信号を送受信する。
【００２３】
右耳用の本体部２Ｒは接続された電子機器から受信した音声信号に基づく音声を使用者の外耳道Ｅ１及び鼓膜Ｅ２に向けて送出する。また、使用者が発する音声の一部は頭部の骨や筋肉を伝搬して鼓膜Ｅ２などを振動させ、外耳道Ｅ１に送出される。右耳用の本体部２Ｒはこのように耳Ｅの内部で発生する内部音声と耳Ｅの外部で発生する外部音声とを集音し、それら音声に基づく音声信号を生成する。
【００２４】
続いて、イヤホンマイク１の右耳用の本体部２Ｒの詳細な構成について、図１及び図２に加えて図３を用いて説明する。図３はイヤホンマイクの右耳用の本体部２Ｒの断面図である。なお、図３に描画した破線矢印はイヤホンマイク１に対して入出力する音声の進行経路及び進行方向を示す。
【００２５】
右耳用の本体部２Ｒは図１及び図２に示すように略円筒形状をなし、イヤーパッド２１及び本体筐体２２を備える。
【００２６】
イヤーパッド２１は図３に示すように本体筐体２２の耳Ｅ側に設けられた開口部２２ａに取り付けられる。イヤーパッド２１は径方向中心部に外耳道Ｅ１と開口部２２ａとを連通させる貫通孔２１ａを備える。イヤーパッド２１は外周部が外耳道Ｅ１を傷付けないように例えば合成樹脂やゴムなどを用いて弾性を持たせて形成され、外耳道Ｅ１の内面形状に対応して変形可能である。イヤホンマイク１が使用者の耳Ｅに装着されると、イヤーパッド２１が外耳道Ｅ１の内面にほぼ隙間なく密着する。
【００２７】
本体筐体２２は例えば合成樹脂などで構成され、耳Ｅ側に外耳道Ｅ１に連通する開口部２２ａを備える。本体筐体２２は図３に示すようにスピーカ２３（第１スピーカ）及びマイク部２４を備える。なお、図示を省略するが、左耳用の本体部２Ｌもスピーカ２３と同様のスピーカ（第２スピーカ）を備える。また、左耳用の本体部２Ｌはマイク部２４が省かれている点で右耳用の本体部２Ｒとは異なっているが、その他の構成は右耳用の本体部２Ｒと同様である。
【００２８】
スピーカ２３は本体筐体２２の内部に設けられた音声伝搬路２２ｂに配置される。音声伝搬路２２ｂは開口部２２ａまで延び、開口部２２ａを介して貫通孔２１ａに連通する。スピーカ２３はその音声出力面２３ａが開口部２２ａ側を向くように、音声伝搬路２２ｂが延びる方向に対して音声出力面２３ａが略垂直をなすように配置される。なお、ここで説明するスピーカ２３の向きは一例であってそれに限定されるわけではなく、例えば音声伝搬路２２ｂが延びる方向に対して音声出力面２３ａが略平行をなすように配置しても良い。スピーカ２３は電子機器から受信した音声信号に基づく音声を音声伝搬路２２ｂに伝搬させ、開口部２２ａから外耳道Ｅ１に向けて送出する。
【００２９】
本体筐体内２２には空気室２２ｒが設けられる。空気室２２ｒは音声伝搬路２２ｂと仕切部２２ｔを介して隔離される。仕切部２２ｔは板状部材から成り、スピーカ２３の背面部２３ｂが仕切部２２ｔに設けた開口部２２ｓに嵌合する。これにより、スピーカ２３の背面（音声出力面２３ａと反対側の面）は空気室２２ｒに臨む。
【００３０】
スピーカ２３の振動板等が振動する際に、音声出力面２３ａ（前面）と音声出力面２３ａと反対側の面（背面）から出た音声は逆位相になっている。仕切部２２ｔを設けることにより、スピーカ２３の背面から出力された音声が音声出力面２３ａ側に回り込むことを防止することができる。これにより、音声出力面２３ａから出力された音声がスピーカ２３の背面から出力された音声によって打ち消されることを防止することができる。したがって、音声出力面２３ａから出力される音声の音質を向上させることができる。
【００３１】
本体筐体２２の下部にはマイク部２４が音声伝搬路２２ｂと空気室２２ｒとに跨って配置される。マイク部２４は外形が略直方体形状のカバー部材２４ｍを有し、カバー部材２４ｍの内側が中空の形態をなす。マイク部２４はカバー部材２４ｍの内側に、マイクロフォンチップ２４ａ、信号増幅部２４ｂ、第１集音部２４ｃ及び第２集音部２４ｄを備える。
【００３２】
マイクロフォンチップ２４ａはマイク部２４の略中央部に配置され、振動板２４ｅと、所定距離を隔て振動板２４ｅと対向配置される不図示の固定電極とを備える。これにより、マイクロフォンチップ２４ａはコンデンサ型のマイクロフォンチップからなる。振動板２４ｅはその平面部が図３の横方向及び紙面奥行き方向に沿って延びる。マイクロフォンチップ２４ａは図３における振動板２４ｅの上面側及び下面側の各々に音孔を備え、それら音孔各々を通して振動板２４ｅの上面及び下面に音声を届ける。振動板２４ｅはその上面側及び下面側から届く音声で振動する。
【００３３】
信号増幅部２４ｂはマイクロフォンチップ２４ａに近接して配置され、マイクロフォンチップ２４ａに電気的に接続される。信号増幅部２４ｂは振動板２４ｅの振動に起因するマイクロフォンチップ２４ａの静電容量の変化に基づき出力される電気信号を増幅処理する。
【００３４】
第１集音部２４ｃは振動板２４ｅの下面側に形成されるマイク部２４の内部空間からなる。第１集音部２４ｃはマイク部２４のカバー部材２４ｍの上面に設けた第１集音孔２４ｈから振動板２４ｅの下面側まで延び、第１集音孔２４ｈを介して音声伝搬路２２ｂと振動板２４ｅの下面側とを連通させる。第１集音孔２４ｈはスピーカ２３の音声出力面２３ａに臨んでいる。第１集音部２４ｃは音声伝搬路２２ｂを伝搬する音声を集音する。
【００３５】
第２集音部２４ｄは振動板２４ｅの上面側に形成されるマイク部２４の内部空間からなる。第２集音部２４ｄはマイク部２４のカバー部材２４ｍの上面に設けた第２集音孔２４ｋから振動板２４ｅの上面側まで延び、第２集音孔２４ｋを介して空気室２２ｒと振動板２４ｅの上面側とを連通させる。第２集音孔２４ｋは空気室２２ｒに臨んでいる。第２集音部２４ｄは空気室２２ｒを伝搬する音声を集音する。
【００３６】
音声伝搬路２２ｂの途中には外部音声伝搬路２２ｈの一方の端部が接続する。外部音声伝搬路２２ｈの他方の端部側は本体筐体２２の外面に設けた第１入力音孔２２ｋまで延び、第１入力音孔２２ｋを介して耳Ｅの外部に連通する。なお、ここで説明する外部音声伝搬路２２ｈの配置は一例であって図３に示した構成に限定されるわけではない。例えば外部音声伝搬路２２ｈを、図３における本体筐体２２の上側の外面で耳Ｅの外部に連通するよう配置しても良いし、また図３の紙面に対して奥行き方向に向かって耳Ｅの外部に連通するよう配置しても良い。
【００３７】
外部音声伝搬路２２ｈは耳Ｅの外部で発生する外部音声を音声伝搬路２２ｂを介して外耳道Ｅ１まで伝搬させる。すなわち、使用者はイヤーパッド２１が外耳道Ｅ１の内面にほぼ隙間なく密着している状態であっても、使用者の周囲の音声である外部音声を聞くことができる。そして、外部音声伝搬路２２ｈは耳Ｅの内部で発生して音声伝搬路２２ｂを伝搬する内部音声に外部音声を混合させる。
【００３８】
本体筐体２２には空気室２２ｒと右耳用の本体部２Ｒの外部とを連通させる第２入力音孔２２ｇが開口する。これにより、スピーカ２３の背面（音声出力面２３ａと反対側の面）から発生する音の低音域をヘルムホルツ共鳴によって増幅することができる。したがって、スピーカ２３から出力される音声の音質を向上させることができる。また、気圧の変化によるスピーカ２３の振動板等の変形を防止することができる。また、使用者の周囲の音声である外部音声は第２入力音孔２２ｇを介して空気室２２ｒに伝搬する。そして、空気室２２ｒに伝搬した外部音声は空気室２２ｒに臨む第２集音孔２４ｋを介してマイク部２４の第２集音部２４ｄによって集音される。
【００３９】
なお、外部音声伝搬路２２ｈを設けることで、内部音声の一部が外部音声伝搬路２２ｈを伝搬して第１入力音孔２２ｋから耳Ｅの外部空間に送出されることが考えられる。しかしながら、外耳道Ｅ１等の耳Ｅの内部空間に対して耳Ｅの外部空間が非常に大きいため、耳Ｅの外部空間に送出された内部音声については十分な空気の振動を得ることができない。したがって、第１入力音孔２２ｋから耳Ｅの外部空間に送出された内部音声は第２入力音孔２２ｇ及び空気室２２ｒを介して第２集音部２４ｄまで伝搬することはない。
【００４０】
このようにして、第１集音部２４ｃは耳Ｅの内部音声と外部音声とからなる混合音声を集音し、第２集音部２４ｄは耳Ｅの外部音声を集音する。
【００４１】
マイク部２４では、振動板２４ｅがその上面及び下面に加わる音圧の差によって振動する。外部音声は第１集音部２４ｃ及び第２集音部２４ｄの各々において集音され且つそれらの音圧差が小さいので、振動板２４ｅにて打ち消される。一方、内部音声、すなわち使用者自身が発する音声は第１集音部２４ｃにおいて集音され且つ第２集音部２４ｄにおいて集音されないので、振動板２４ｅにて打ち消されない。したがって、イヤホンマイク１は使用者自身が発する音声の品質を向上させてその音声を相手に伝え易くすることができる。
【００４２】
このように、マイク部２４は第１集音部２４ｃが集音する混合音声と第２集音部２４ｄが集音する外部音声とを用いて混合音声に含まれる外部音声を低減させる処理を行うノイズ処理部の機能を有する。すなわち、マイク部２４は第１集音部２４ｃ、第２集音部２４ｄ及びノイズ処理部が一体として形成された差動型マイクロフォンを構成する。
【００４３】
図４はイヤホンマイク１の構成を示すブロック図である。イヤホンマイク１はその動作制御のために、図３には図示しないが本体筐体２２の内部に制御部２５を収容する。制御部２５には、スピーカ２３、マイク部２４及び記憶部２６が接続される。制御部２５は不図示の演算部やその他の電子部品で構成され、記憶部２６等に予め記憶、入力されたプログラム、データに基づきイヤホンマイク１の各構成要素の動作を制御して一連の音声の入出力処理を実現する。
【００４４】
上記構成のイヤホンマイク１を例えば音楽などを聞くために使用する際に、スピーカ２３が不図示の電子機器から受信した音声を使用者の外耳道Ｅ１及び鼓膜Ｅ２に向けて送出する。スピーカ２３が図１に示す右耳用の本体部２Ｒ及び左耳用の本体部２Ｌの双方に設けられるので、使用者はイヤホンマイク１から送出される音声を左右の耳Ｅから個別に聞くことができる。このとき、マイク部２４は集音の機能を停止する。すなわち、マイク部２４の不使用時に右耳用の本体部２Ｒのスピーカ２３及び左耳用の本体部２Ｌのスピーカから音声を出力する。なお、この時、マイク部２４は集音の機能を停止しなくてもよい。
【００４５】
一方、イヤホンマイク１を例えば電話機などに接続して通話のために使用する際に、第１集音部２４ｃが耳Ｅの内部音声と外部音声とからなる混合音声を集音する。さらに、第２集音部２４ｄが耳Ｅの外部音声を集音する。そして、マイク部２４が混合音声に含まれる外部音声を低減させる処理を行い、相手に伝えられる音声の品質を向上させる。制御部２５はマイク部２４から出力される音声信号を生成して電話機に送信する。なおこのとき、右耳用の本体部２Ｒのスピーカ２３には音声出力の機能を停止させ、通話相手が話す音声は左耳用の本体部２Ｌのスピーカから出力されるようにする。すなわち、マイク部２４の使用時に右耳用の本体部２Ｒのスピーカ２３の音声出力を停止して左耳用の本体部２Ｌのスピーカから音声を出力する。
【００４６】
本実施形態によれば、耳の内部で発生する内部音声を集音するマイク部２４の第１集音孔２４ｈは、右耳用の本体部２Ｒの音声伝搬路２２ｂに配されるスピーカ２３の音声出力面２３ａに臨む。これにより、マイク部２４へ内部音声を導くための通路を音声伝搬路２２ｂと別途に設ける必要がない。したがって、イヤホンマイク１（音声入出力装置）の小型化を図ることができる。また、右耳用の本体部２Ｒの成形金型を簡単に製作できるとともに、右耳用の本体部２Ｒを簡単に成形加工することができる。したがって、イヤホンマイク１の製造コストの削減を図ることができる。さらに、マイク部２４の使用時にスピーカ２３の音声出力を停止するので、使用者自身が発する音声を相手に伝え易くすることができる。
【００４７】
また、右耳用の本体部２Ｒの音声伝搬路２２ｂと仕切部２２ｔを介して隔離される空気室２２ｒと、空気室２２ｒと右耳用の本体部２Ｒの外部とを連通させる第２入力音孔２２ｇとを備えている。これにより、スピーカ２３から出力される音声の音質を向上させることができるとともに、気圧の変化によるスピーカ２３の振動板等の変形を防止することができる。
【００４８】
また、右耳用の本体部２Ｒに設けられて外耳道Ｅ１と右耳用の本体部２Ｒの外部とを連通させる第１入力音孔２２ｋと、マイク部２４に設けられて空気室２２ｒに臨む第２集音孔２２ｇとを備え、耳Ｅの内部で発生する内部音声と第１入力音孔２２ｋから入力される外部音声とからなる混合音声を第１集音孔２４ｈによって集音し、第２入力音孔２２ｇから入力される外部音声を第２集音孔２４ｋによって集音する。そして、マイク部２４は、第１集音孔２４ｈにより集音された混合音声と第２集音孔２４ｋにより集音された外部音声とを用いて混合音声に含まれる外部音声を低減させるノイズ処理部の機能を有する。
【００４９】
これにより、イヤホンマイク１は第１入力音孔２２ｋを通して使用者の周囲の外部音声を外耳道Ｅ１まで伝搬する。さらに、イヤホンマイク１は耳Ｅの内部で発生する使用者自身が発する音声と外部音声との混合音声から外部音声を低減させる。したがって、イヤホンマイク１は使用者自身が発する音声を相手に伝え易くすることができ、使用者の耳に周囲の音声を届けることが可能になる。
【００５０】
この時、マイク部２４の第２集音孔２４ｋは空気室２２ｒに臨んでいるので、マイク部２４へ外部音声を導くための通路を空気室２２ｒと別途に設ける必要がない。したがって、イヤホンマイク１の小型化を一層図ることができる。また、右耳用の本体部２Ｒの成形金型をより簡単に製作できるとともに、右耳用の本体部２Ｒを簡単に成形加工することができる。したがって、イヤホンマイク１の製造コストを一層削減することができる。
【００５１】
また、混合音声が音声伝搬路２２ｂを介して第１集音部２４ｃで集音される。さらに、外部音声が第２入力音孔２２ｇ及び空気室２２ｒを介して第２集音部２４ｄで集音される。このようにして、イヤホンマイク１は混合音声から外部音声を低減させるために、混合音声と外部音声とを区別して取得することが可能である。
【００５２】
また、外部音声伝搬路２２ｈは、一方の端部が音声伝搬路２２ｂに接続し、他方の端部側が本体筐体２２の外面に設けた第１入力音孔２２ｋまで延びる。これにより、外部音声が外部音声伝搬路２２ｈ及び音声伝搬路２２ｂを介して外耳道Ｅ１及び第１集音部２４ｃまで伝搬する。このようにして、イヤホンマイク１は混合音声を取得することができ、使用者の耳に外部音声を届けることが可能である。
【００５３】
＜第２実施形態＞
次に、本発明の第２実施形態に係るイヤホンマイクについて、図５及び図６を用いてその構成を説明する。図５はイヤホンマイクの右耳用の本体部２Ｒの断面図であり、図６はイヤホンマイクの構成を示すブロック図である。なお、この実施形態の基本的な構成は図１〜図４を用いて先に説明した第１実施形態と同じであるので、第１実施形態と共通する構成要素には前と同じ符号を付し、図面の記載及びその説明を省略するものとする。本実施形態では第１実施形態の仕切部２２ｔを省いている。また、本実施形態ではマイク部２４の構成が第１実施形態とは異なっている。
【００５４】
第２実施形態では第１実施形態の仕切部２２ｔが省かれ、空気室２２ｒは音声伝搬路２２ｂとスピーカ２３を介して隔離されている。すなわち、スピーカ２３が仕切部２２ｔの機能を有している。スピーカ２３は例えば接着剤により本体筐体２２の内面に取り付けられる。具体的には、スピーカ２３の周縁部に接着剤を塗布してスピーカ２３を本体筐体２２の内面に接着させる。これにより、スピーカ２３と別途に仕切部２２ｔを設ける必要がなくなり、イヤホンマイク１の部品点数及び製造工数を削減することができる。なお、スピーカ２３の本体筐体２２への取付けは接着剤を用いた取付けに限定されない。例えば、スピーカ２３の音声出力面２３ａ側を覆うメッシュ状のカバー部材（不図示）をスピーカ２３に取り付け、カバー部材を介してスピーカ２３を本体筐体２２にネジ止めしてもよい。
【００５５】
第２実施形態のイヤホンマイク１は、マイク部２４が図５及び図６に示すように第１マイクロフォン２４ｆ（第１集音部）及び第２マイクロフォン２４ｇ（第２集音部）を個別に備える。
【００５６】
第１マイクロフォン２４ｆは本体筐体２２の内部に設けられた音声伝搬路２２ｂの一方の端部側に配置される。音声伝搬路２２ｂの他方の端部側は開口部２２ａまで延び、開口部２２ａを介して貫通孔２１ａに連通する。第１マイクロフォン２４ｆとしては、例えばＭＥＭＳ（Micro Electro Mechanical Systems）マイク、ＥＣＭ（Electret Condenser Microphone）などといったマイクロフォンを用いることができる。第１マイクロフォン２４ｆは音声伝搬路２２ｂを伝搬する音声を第１集音孔２４ｈを介して集音する。
【００５７】
第２マイクロフォン２４ｇは本体筐体２２の内部に設けられた空気室２２ｒのスピーカ２３の近傍側に配置される。空気室２２ｒは本体筐体２２の外面に設けた第２入力音孔２２ｇを介して耳Ｅの外部に連通する。第２マイクロフォン２４ｇとしては第１マイクロフォン２４ｆ同様、例えばＭＥＭＳマイク、ＥＣＭなどといったマイクロフォンを用いることができる。第２マイクロフォン２４ｇは空気室２２ｒを伝搬する音声を第２集音孔２４ｋを介して集音する。
【００５８】
さらに、第２実施形態のイヤホンマイク１は、図５に示す外部音声伝搬路２２ｈを備える。外部音声伝搬路２２ｈは本体筐体２２の外面に設けた第１入力音孔２２ｋから開口部２２ａの箇所に設けた外部音声出力音孔２２ｍまで延びる。外部音声伝搬路２２ｈは耳Ｅの外部の空間と外耳道Ｅとを連通させる。そして、外部音声伝搬路２２ｈは耳Ｅの内部で発生して外耳道Ｅを伝搬する内部音声に外部音声を混合させる。
【００５９】
外部音声伝搬路２２ｈは音声伝搬路２２ｂとは独立して形成される。なお、ここで説明する外部音声伝搬路２２ｈの配置は一例であって図５に示した構成に限定されるわけではない。例えば外部音声伝搬路２２ｈを、図５における本体筐体２２の右側の外面で耳Ｅの外部に連通するよう配置しても良いし、また図５の紙面に対して奥行き方向に向かって耳Ｅの外部に連通するよう配置しても良い。
【００６０】
このようにして、第１マイクロフォン２４ｆは耳Ｅの内部音声と外部音声とからなる混合音声を集音し、混合音声に基づく音声信号を生成する。第２マイクロフォン２４ｇは耳Ｅの外部音声を集音し、外部音声に基づく音声信号を生成する。
【００６１】
また、制御部２５は図６に示すノイズ処理部２７を備える。なおここでは、制御部２５がノイズ処理部２７を備える構成としているが、制御部２５とは別にしてノイズ処理部２７を備える構成であっても良い。
【００６２】
ノイズ処理部２７は第１マイクロフォン２４ｆから得られる混合音声に係る情報と第２マイクロフォン２４ｇから得られる外部音声に係る情報とを比較し、混合音声に含まれる外部音声を低減させる処理を行う。この処理方法としては、例えば外部音声に係る情報から外部音声とは逆位相の音声に係る情報を生成し、それを第１マイクロフォン２４ｆから得られる混合音声に重ね合わせて相殺するなどといった方法を用いることができる。これにより、イヤホンマイク１は内部音声、すなわち使用者自身が発する音声を相手に伝え易くすることができる。
【００６３】
この構成によれば、外部音声が音声伝搬路２２ｂを経由しない外部音声伝搬路２２ｈを介して外耳道Ｅ１まで伝搬する。したがって、外耳道Ｅ１においてその外部音声と耳Ｅの内部音声とを混合し、混合音声を音声伝搬路２２ｂを介して第１マイクロフォン２４ｆで集音することができる。さらに、本実施形態の外部音声伝搬路２２ｈを介して使用者には外部音声を直接届けることが可能である。
【００６４】
本実施形態によれば、第１実施形態と同様な効果を得ることができる。また、第１実施形態の仕切部２２ｔを省いて、空気室２２ｒは音声伝搬路２２ｂとスピーカ２３を介して隔離されている。これにより、イヤホンマイク１の部品点数及び製造工数をより削減することができる。したがって、イヤホンマイク１の製造コストを一層削減することができる。
【００６５】
＜第３実施形態＞
次に、本発明の第３実施形態に係るイヤホンマイクについて、図７を用いてその構成を説明する。図７はイヤホンマイクの右耳用の本体部の断面図である。なお、この実施形態の基本的な構成は図１〜図４を用いて先に説明した第１実施形態と同じであるので、第１実施形態と共通する構成要素には前と同じ符号を付し、図面の記載及びその説明を省略するものとする。本実施形態では第１実施形態の仕切部２２ｔを省いている。
【００６６】
第１集音孔２４ｈと第２集音孔２４ｋとの間のカバー部材２４ｍの上面には凹部２４ｎが凹設されている。スピーカ２３の周縁部が凹部２４ｎに嵌合することにより、スピーカ２３はマイク部２４に取り付けられる。なお、スピーカ２３の周縁部のうち凹部２４ｎに嵌合していない部分には例えば接着剤を塗布し、本体筐体２２の内面に接着させる。これにより、空気室２２ｒは音声伝搬路２２ｂとスピーカ２３を介して隔離される。
【００６７】
第３実施形態のイヤホンマイク１は、図７に示す外部音声伝搬路２２ｈを備える。外部音声伝搬路２２ｈはイヤーパッド２１の外面表面に設けられたイヤーパッド２１の径方向中心部に向かって窪んだ溝部からなる。外部音声伝搬路２２ｈはイヤーパッド２１の外部の空間側に設けた外部音声入力部２２ｎから外耳道Ｅ１側に設けた外部音声出力部２２ｐまで延びる。外部音声伝搬路２２ｈは本体部２が使用者の耳Ｅにしっかりと装着された状態であっても、耳Ｅの外部の空間と外耳道Ｅとを連通させる空間を確保する。
【００６８】
外部音声伝搬路２２ｈは音声伝搬路２２ｂとは独立して形成される。なお、図７には複数の外部音声出力部２２ｐを描画して外部音声伝搬路２２ｈが複数箇所に設けられていることとしているが、外部音声伝搬路２２ｈは１箇所であっても良い。
【００６９】
この構成によれば、外部音声が音声伝搬路２２ｂを経由しない外部音声伝搬路２２ｈを介して外耳道Ｅ１まで伝搬する。したがって、外耳道Ｅ１においてその外部音声と耳Ｅの内部音声とを混合し、混合音声を音声伝搬路２２ｂを介して第１集音部２４ｃで集音することができる。さらに、外部音声伝搬路２２ｈを介して使用者には外部音声を直接届けることができ、外部音声伝搬路２２ｈを簡便な構成にすることが可能である。
【００７０】
本実施形態によれば、第１実施形態と同様な効果を得ることができる。また、スピーカ２３の周縁部が嵌合する凹部２４ｎをマイク部２４のカバー部材２４ｍに設けている。これにより、スピーカ２３を本体筐体２２に容易に取り付けることができるとともに、スピーカ２３は第１集音孔２４ｈと第２集音孔２４ｋとの間で容易に位置決めされる。
【００７１】
以上、本発明の実施形態につき説明したが、本発明の範囲はこれに限定されるものではなく、発明の主旨を逸脱しない範囲で種々の変更を加えて実施することができる。
【００７２】
例えば、上記各実施形態を複数組み合わせて用いても良い。
【００７３】
また、第１及び第３実施形態ではイヤホンマイク１が第１集音部２４ｃ、第２集音部２４ｄ及びノイズ処理部が一体となったマイク部２４を備え、第２実施形態ではイヤホンマイク１が第１マイクロフォン２４ｆ（第１集音部）、第２マイクロフォン２４ｇ（第２集音部）及びノイズ処理部２７を個別に備えることとしたが、これらのマイク部及びノイズ処理部の組合せをいずれのイヤホンマイクに適用しても良い。
【産業上の利用可能性】
【００７４】
本発明は音声入出力装置において利用可能である。
【符号の説明】
【００７５】
１        イヤホンマイク（音声入出力装置）
２        本体部
２Ｒ      右耳用の本体部（第１本体部）
２Ｌ      左耳用の本体部（第２本体部）
２１      イヤーパッド
２１ａ    貫通孔
２２      本体筐体
２２ａ    開口部
２２ｂ    音声伝搬路
２２ｇ    第２入力音孔
２２ｈ    外部音声伝搬路
２２ｋ    第１入力音孔
２２ｍ    外部音声出力音孔（出力音孔）
２２ｔ    仕切部
２２ｒ    空気室
２３      スピーカ
２３ａ    音声出力面
２４      マイク部
２４ｃ    第１集音部
２４ｄ    第２集音部
２４ｆ    第１マイクロフォン（第１集音部）
２４ｇ    第２マイクロフォン（第２集音部）
２４ｈ    第１集音孔
２４ｋ    第２集音孔
２４ｍ    カバー部材
２４ｎ    凹部
２５      制御部
２７      ノイズ処理部
【図１】
2015061115.tif 000003
【図２】
2015061115.tif 000004
【図３】
2015061115.tif 000005
【図４】
2015061115.tif 000006
【図５】
2015061115.tif 000007
【図６】
2015061115.tif 000008
【図７】
2015061115.tif 000009